(57)【特許請求の範囲】
【請求項１】
相互に接続されることにより所定のパーツを挿通可能な環状のパーツを形成する第１パーツおよび第２パーツを備える模型玩具の接続構造であって、
前記第１パーツおよび前記第２パーツは、それらを相互に挿抜可能に接続するための一対の第１接続部および一対の第２接続部をそれぞれ含み、
前記一対の第１接続部は、前記第１パーツの本体部の内壁において、それぞれ該本体部からＬ字状に延出すると共に挿抜方向に延在しており、
前記一対の第２接続部は、前記一対の第１接続部にそれぞれ係合可能に、前記第２パーツの本体部の内壁において、それぞれ挿抜方向に延在して設けられている
模型玩具の接続構造。
【請求項２】
前記第１パーツが前記第２パーツと対向する面を第１面とし、前記第２パーツが前記第１パーツと対向する面を第２面としたとき、
前記一対の第１接続部が前記第１面から延出していること、及び、前記一対の第２接続部が前記第２面から延出していること、の一方を満たす
請求項１記載の接続構造。
【請求項３】
前記一対の第１接続部は、前記第１パーツの本体部の内壁の一側方側に設けられ、
前記一対の第２接続部は、前記一対の第１接続部にそれぞれ係合可能に、前記第２パーツの本体部の内壁の一側方側に設けられている
請求項１または請求項２記載の接続構造。
【請求項４】
前記第１パーツおよび前記第２パーツは、更に、それらを相互に挿抜可能に接続するための他の一対の第１接続部および他の一対の第２接続部をそれぞれ含み、
前記他の一対の第１接続部は、前記第１パーツの本体部の内壁の他側方側において、それぞれ該本体部からＬ字状に延出すると共に挿抜方向に延在しており、
前記他の一対の第２接続部は、前記他の一対の第１接続部にそれぞれ係合可能に、前記第２パーツの本体部の内壁の他側方側において、それぞれ挿抜方向に延在して設けられている
請求項３記載の接続構造。
【請求項５】
前記Ｌ字状の個々の第１接続部は、
前記第１パーツの本体部の前記内壁から延出した第１延出部と、
前記第１延出部から前記第１延出部の延出方向と交差する方向に延出した第２延出部と、
を含んでおり、
前記第１パーツの本体部の前記一側方側の前記一対の第１接続部は、それらの第１延出部が、それらの第２延出部の間に位置するように設けられ、
前記第１パーツの本体部の前記他側方側の前記他の一対の第１接続部は、それらの第２延出部が、それらの第１延出部の間に位置するように設けられている
請求項４記載の接続構造。
【請求項６】
前記模型玩具は、人形体の模型玩具であり、
前記第１パーツおよび前記第２パーツは、相互に接続されることにより所定の衣装／装飾品を形成する
請求項１から請求項５の何れか１項記載の接続構造。
【請求項７】
前記第１パーツおよび前記第２パーツは、其れらが相互に接続されることにより形成される前記環状のパーツが外側に膨らむように湾曲していることにより前記所定のパーツを挿通可能に構成されている
請求項１から請求項６の何れか１項記載の接続構造。
【請求項８】
請求項１から請求項７の何れか１項記載の接続構造を有する模型玩具用部品。
【発明の詳細な説明】
【技術分野】
【０００１】
本発明は、主に模型玩具の接続構造に関する。
【背景技術】
【０００２】
模型玩具の多くは、例えばプラスチック等で構成された複数のパーツが相互に挿抜可能に接続されることで形成される。これらパーツ間の接続は、例えば、ピン、ボス等と称されうるピラー部を、ピン穴、ボス穴等と称されうる開口部に挿入して嵌合させることにより、実現される（特許文献１〜３参照）。
【先行技術文献】
【特許文献】
【０００３】
【特許文献１】特表２０１３−５４０５３１号公報
【特許文献２】特開２００５−６２０号公報
【特許文献３】実開昭６０−８６３８９号公報
【発明の概要】
【発明が解決しようとする課題】
【０００４】
上述の接続構造においては、例えばハンドリングの誤り等によってピラー部が破損してしまう可能性があるため、充分な強度を確保するのに大サイズ化が必要となる場合があった。一方、模型玩具のなかには小サイズ化が求められるもの（例えば、繊細なデザインを呈するもの、構造が複雑化したもの等）も存在するため、上述の構造を採用した場合、このような模型玩具の実現が難しくなる場合もあった。
【０００５】
本発明は、模型玩具の接続構造について強度向上および小サイズ化の双方に有利な技術を提供することを例示的目的とする。
【課題を解決するための手段】
【０００６】
本発明の一つの側面は模型玩具の接続構造に係り、前記模型玩具の接続構造は、相互に接続されることにより所定のパーツを挿通可能な環状のパーツを形成する第１パーツおよび第２パーツを備える模型玩具の接続構造であって、前記第１パーツおよび前記第２パーツは、それらを相互に挿抜可能に接続するための一対の第１接続部および一対の第２接続部をそれぞれ含み、前記一対の第１接続部は、前記第１パーツの本体部の内壁において、それぞれ該本体部からＬ字状に延出すると共に挿抜方向に延在しており、前記一対の第２接続部は、前記一対の第１接続部にそれぞれ係合可能に、前記第２パーツの本体部の内壁において、それぞれ挿抜方向に延在して設けられている。
【発明の効果】
【０００７】
本発明によれば、模型玩具を構成するパーツについて強度向上および小サイズ化を実現可能となる。
【図面の簡単な説明】
【０００８】
【図１】実施形態に係る人形体の模型玩具の模式図。
【図２】人形体の一部についての分解図。
【図３】衣装／装飾品の一部を形成するパーツの模式図。
【図４】衣装／装飾品の一部を形成するパーツの斜視図。
【図５】衣装／装飾品の他の一部を形成するパーツの模式図。
【図６】衣装／装飾品の他の一部を形成するパーツの斜視図。
【発明を実施するための形態】
【０００９】
以下、添付図面を参照して実施形態を詳しく説明する。尚、以下の実施形態は特許請求の範囲に係る発明を限定するものでなく、また実施形態で説明されている特徴の組み合わせの全てが発明に必須のものとは限らない。実施形態で説明されている複数の特徴のうち二つ以上の特徴が任意に組み合わされてもよい。また、同一若しくは同様の構成には同一の参照番号を付し、重複した説明は省略する。
【００１０】
図１は、実施形態に係る人形体１の模型玩具Ｍの模式図である。本明細書においては、各部位の位置関係を説明するのに際して、前（前方）、後（後方）、左（左側方）、右（右側方）、上（上方）、下（下方）等と記載する場合があるが、これらの表現は人形体１を基準とした相対的なものである。例えば、前は人形体１正面側に対応し、後は人形体１背面側に対応する。
【００１１】
人形体１は、頭部１１、胴体部１２、腕部１３、腰部１４および脚部１５を備える。胴体部１２は、肩部、胸部および腹部を含む部位とする。胴体部１２は衣装１２１を装着して構成される。
【００１２】
腕部１３は胴体部１２の肩部から延設され、その周囲には環状の装飾品１３１が装着される。装飾品１３１は、本実施形態では、衣装１２１と同様のデザインのものとするが、他の実施形態として、衣装１２１とは異なるデザインの装飾品（例えば腕輪）であってもよい。
【００１３】
図２は、模型玩具Ｍを構成する複数の部品（模型玩具用部品）の一部であるパーツＰＴ１〜ＰＴ９の模式図（組立前の状態を示す模式的斜視図、或いは、分解図）である。パーツＰＴ１〜ＰＴ９は、それぞれ他の１以上のパーツに対して挿抜可能に接続され、それにより図１記載の胴体部１２および腕部１３を形成する。尚、これらのパーツＰＴ１〜ＰＴ９間の接続のうち本明細書で説明が省略されるものについては公知の接続構造により実現されるものとする。
【００１４】
パーツＰＴ１は、人形体１の肌露出部として、胴体部１２のうちの肩部と、腕部１３の一部とを形成する。パーツＰＴ２は、インナーウェアを模ると共に実質的に胴体部１２の胸部および腹部を形成し、パーツＰＴ１に対して下方から接続される。パーツＰＴ３は、胴体部１２の胸部および上腹部を覆うアウターウェア前方部を模り、パーツＰＴ２を前方から覆うように接続される。パーツＰＴ４は、胴体部１２の下腹部を覆う装飾品（本実施形態ではリボン状のサッシュベルトの一部）を模り、パーツＰＴ３下方部に前方から接続される。パーツＰＴ５は、胴体部１２背面側、本実施形態では背面側下方部（腹部背面側）、を覆うアウターウェア後方部を模り、パーツＰＴ２を部分的に覆いながらパーツＰＴ３に後方から接続される。これにより、パーツＰＴ３及びＰＴ５は、単一のアウターウェアを図１記載の衣装１２１として形成する。
【００１５】
ここで、パーツＰＴ３及びＰＴ５は、衣装１２１を適切に形成可能とするため、それらには同様の材料が用いられ且つ同様の着色処理が為されうる。また、パーツＰＴ３を介してインナーウェアを模るパーツＰＴ２を視認可能とするため、パーツＰＴ３は、透明または半透明の材料を用いることが可能であり、好ましくは可視光領域において光透過率が１０％以上かつ９０％以下となるように、樹脂等の透光性材料で構成されうる。さらに好適には、光透過率は３０％以上及び／又は７０％以下を満たすとよい。付随的に、パーツＰＴ５も同様の光透過率を実現するように構成されうる。
【００１６】
パーツＰＴ６及びＰＴ７は、図１記載の装飾品１３１の内側部分（内方側の半分）および外側部分（外方側の半分）をそれぞれ形成し、相互に接続されることにより環状に形成される。また、パーツＰＴ８は、装飾品１３１の下方部を形成するように環状に構成され、相互に接続された上記パーツＰＴ６及びＰＴ７に対して下方から接続されることにより環状の装飾品１３１を形成する。パーツＰＴ９は、パーツＰＴ６〜ＰＴ８により形成される上記環状の装飾品１３１に腕部１３として挿通されて、パーツＰＴ１により形成される胴体部１２の肩部に接続される。即ち、パーツＰＴ６〜ＰＴ８は、相互に接続されることで装飾品１３１を模り、パーツＰＴ９は、装飾品１３１が装着された腕部１３を形成する。
【００１７】
前述のとおり、本実施形態では、装飾品１３１は衣装１２１と同様のデザインであるため、パーツＰＴ６〜ＰＴ８は、パーツＰＴ３及びＰＴ５同様の光透過率を実現するように構成されうる。
【００１８】
ところで、パーツＰＴ６とパーツＰＴ７とは、挿抜可能に相互に接続されるが、本実施形態においては、それらは、腕部１３を挿通させる装飾品１３１として比較的繊細（或いは比較的複雑）なデザインを呈する。そのため、それらの接続構造は所望の強度を維持しつつ比較的小サイズで実現されることが求められる。更に、本実施形態においては、パーツＰＴ６及びＰＴ７は、透明または半透明を実現する光透過率を有するように構成されるため、それらの接続構造は目立たないように比較的簡素に実現されることが好ましい。
【００１９】
図３は、装飾品１３１の外側部分を形成するパーツ（第１パーツ）ＰＴ７を、その内壁側から、パーツＰＴ６との挿抜方向と平行な方向で見た場合の模式図である。図４は、パーツＰＴ７を内壁側から他の視点で見た場合の斜視図である。尚、ここでいう内壁は、パーツＰＴ７がパーツＰＴ６に接続された場合に装飾品１３１として形成される環状形状における内方側（パーツＰＴ６側）の表面を指す。
【００２０】
パーツＰＴ７は、接続部（第１接続部）２１を含む。接続部２１はパーツＰＴ７本体部に少なくとも１つ設けられればよく、本実施形態では、４つの接続部２１が設けられるものとする。個々の接続部２１は、図３から分かるように、パーツＰＴ７本体部からＬ字状に延出して成る。具体的には、個々の接続部２１は、パーツＰＴ７本体部内壁から延出した延出部（第１延出部）２１１と、延出部２１１の延出方向と交差する方向に延出部２１１から延出した他の延出部（第２延出部）２１２と、を含む。即ち、接続部２１は、実質的にＬ字状であればよく、パーツＰＴ７本体部内壁から延出しつつ、その延出方向が該内壁から離間した所定位置で変わるように屈曲または湾曲した形状、例えばＪ字状、Ｔ字状等、或いは、それらを左右反転／上下反転あるいは回転させた形状をも包含するものとする。
【００２１】
本実施形態においては、パーツＰＴ７本体部の一側方側および他側方側のそれぞれに一対の接続部２１（計４つの接続部２１）が設けられる。一側方側（例えば図３において左側）の一対の接続部２１は、それらの延出部２１２が、それらの延出部２１１の間に位置するように設けられる。また、他側方側（例えば図３において右側）の一対の接続部２１は、それらの延出部２１１が、それらの延出部２１２の間に位置するように設けられる。
【００２２】
ここで、パーツＰＴ７がパーツＰＴ６と対向する面を面（第１面）Ｆ７とする。詳細については後述とするが、本実施形態においては、４つの接続部２１のうちの１つの延出部２１１は、延出部２１２から離間する方向に膨出した膨出部２３を形成している。この膨出部２３は、図４からも分かるように、面Ｆ７から延出しているものとする。
【００２３】
図５は、装飾品１３１の内側部分を形成するパーツ（第２パーツ）ＰＴ６を、その内壁側から、パーツＰＴ７との挿抜方向と平行な方向で見た場合の模式図である。図６は、パーツＰＴ６を内壁側から他の視点で見た場合の斜視図である。尚、図３〜図４同様、ここでいう内壁は、パーツＰＴ６がパーツＰＴ７に接続された場合に装飾品１３１として形成される環状形状における内方側（パーツＰＴ７側）の表面を指す。
【００２４】
パーツＰＴ６は、接続部（第２接続部）２２を含む。接続部２２は、接続部２１に係合可能となるようにパーツＰＴ６本体部に設けられ、本実施形態においては、上述の４つの接続部２１に対応するように、一側方側および他側方側のそれぞれに一対（計４つ）設けられる。個々の接続部２２は、接続部２１の延出部２１２（図３〜図４参照）が嵌合するようにＵ字状に形成される。
【００２５】
このようにＵ字状の接続部２２に接続部２１の延出部２１２が嵌合するようにすることにより、接続部２２と延出部２１２との接触面積を大きくすることができる。これにより、接続部２１及び接続部２２を小サイズ化したとしてもパーツＰＴ６とパーツＰＴ７の接続強度を維持することができる。
【００２６】
本実施形態においては、前述の一側方側の一対の接続部２１（図３の左側）は、それらの延出部２１２が、それらの延出部２１１の間に位置するように設けられるため、対応の一対の接続部２２（図５の右側）は一体に設置可能である。これに対して、他側方側の一対の接続部２１（図３の右側）は、それらの延出部２１１が、それらの延出部２１２の間に位置するように設けられるため、対応の一対の接続部２２（図５の左側）は互いに離間して設けられる。
【００２７】
ここで、パーツＰＴ７においては、接続部２１は、パーツＰＴ６との挿抜方向に延在している。また、パーツＰＴ６においては、接続部２２は、パーツＰＴ７との挿抜方向に延在している。このような構成により、パーツＰＴ６及びＰＴ７の一方を他方に対して挿抜方向に近接させて接続部２１及び２２を相互に連結させることにより、それらの接続を適切に実現可能となる。
【００２８】
上記パーツＰＴ６及びＰＴ７の接続の実現には、接続部２１が面Ｆ７から延出していること、及び、該接続部２１に対応する接続部２２が面Ｆ６から延出していること、の一方が成立していればよい（図４及び図６参照）。このことは、個々の接続部２１及びそれに対応する接続部２２について個別に成立すればよい。
【００２９】
また、本実施形態においては、パーツＰＴ６に、パーツＰＴ７の膨出部２３が嵌合可能に陥凹した陥凹部２４が設けられる。これにより、上記パーツＰＴ６及びＰＴ７の接続を更に堅牢なものにすることも可能となる。
【００３０】
以上、本実施形態によれば、相互に挿抜可能に接続されるパーツＰＴ６及びＰＴ７において、パーツＰＴ７の接続部２１は、パーツＰＴ７本体部からＬ字状に延出すると共に挿抜方向に延在している。また、パーツＰＴ６の接続部２２は、接続部２１に係合可能にパーツＰＴ６本体部に挿抜方向に延在して設けられる。
【００３１】
このような接続構造によれば、所望の強度を維持しつつ比較的小サイズでパーツＰＴ６及びＰＴ７の接続を比較的簡素な構造で実現可能となり、本実施形態においては、該接続により形成される装飾品１３１を比較的繊細なデザインで実現可能となる。
【００３２】
本実施形態においては、パーツＰＴ６及びＰＴ７は透明または半透明の材料で構成されるものとしたが、これらは非透明の材料で構成されても良い。一方、本実施形態の場合（パーツＰＴ６及びＰＴ７が透明または半透明の材料で構成されている場合）には上述の接続構造を目立たなくすることも可能となり、上記装飾品１３１を更に適切に模ることが可能となる。
【００３３】
本実施形態においては、接続部２１／２２がパーツＰＴ７／ＰＴ６本体部の一側方側および他側方側のそれぞれに一対設けられた態様を例示したが、本例に限られるものではない。即ち、パーツＰＴ６及びＰＴ７が充分な強度を維持し且つ強固に接続可能であればよく、他の実施形態として、単一の接続部２１がパーツＰＴ７本体部に設けられ、それに対応する単一の接続部２２がパーツＰＴ６本体部に設けられてもよい。更に他の実施形態として、パーツＰＴ６及びＰＴ７の接続を強固なものとするため、接続部２１／２２がパーツＰＴ７／ＰＴ６本体部の一側方側および他側方側に少なくとも１つずつ設けられるとよい。
【００３４】
また、前述のとおり、本実施形態では、一側方側（図３において左側）の一対の接続部２１は延出部２１２が延出部２１１の間に位置するように設けられ、かつ、他側方側（図３において右側）の一対の接続部２１は延出部２１１が延出部２１２の間に位置するように設けられる。これにより、パーツＰＴ６及びＰＴ７の一方に対する他方の位置合わせが比較的容易となる。しかしながら、パーツＰＴ６及びＰＴ７の接続構造は、本例に限られるものではなく、何れの側の一対の接続部２１も、延出部２１２（又は２１１）が延出部２１１（又は２１２）の間に位置するように設けられてもよい。
【００３５】
発明は上記の実施形態に制限されるものではなく、発明の要旨の範囲内で、種々の変形・変更が可能である。
【符号の説明】
【００３６】
Ｍ：模型玩具、ＰＴ７：パーツ（第１パーツ）、２１：接続部（第１接続部）、ＰＴ６：パーツ（第２パーツ）、２２：接続部（第２接続部）。
【図１】
0006902585.tif 000002
【図２】
0006902585.tif 000003
【図３】
0006902585.tif 000004
【図４】
0006902585.tif 000005
【図５】
0006902585.tif 000006
【図６】
0006902585.tif 000007